(57)【要約】  送風機は、使用時に支持基台（１８）の上に配置される縦長の本体（１２）を備える。送風機は、外に向かって空気の流れ（Ｗ）を放出するための後部の長孔（１６）を有するとともに、空気吸引流動ユニット（１４）、および、長孔（１６）の近傍に配置される案内要素（２０）を備える。案内要素は、空気の流れ（Ｗ）を転換することができ、それにより、空気の流れ（Ｗ）が送風機（１０）の前部に向けて、少なくとも部分的に本体（１２）の外面（２２）の外形（４０）に沿って搬送される。
2019519710.tif 000002
【特許請求の範囲】
【請求項１】
使用時に支持基台（１８）の上に配置される縦長の本体（１２）を備える送風機であって、前記本体（１２）は内部収容区画室（１３）を画定し、前記送風機は、外に向かって空気の流れ（Ｗ）を放出するための後部の長孔（１６）を有するとともに、空気吸引流動ユニット（１４）、および、前記長孔（１６）の近傍に配置されて、前記空気の流れ（Ｗ）を転換するために前記長孔（１６）と協働する案内要素（２０）を備え、それにより、前記空気の流れ（Ｗ）が前記送風機（１０）の前部に向けて、少なくとも部分的に前記本体（１２）の外面（２２）の外形（４０）に沿って搬送され、前記外形（４０）は、連続して並ぶように配置された複数の凸状円弧部分（Ｓ１、Ｓ２、Ｓ３、…ＳＮ）で近似されるポリラインを備え、前記ポリラインの外形（４０）は、ユーザの快適さの高いレベルを保証するように前記送風機の前部に向かって空気の流れ（Ｗ）を生成するように構成されていることを特徴とする、送風機。
【請求項２】
前記ポリラインを形成する前記凸状円弧部分（Ｓ１、Ｓ２、Ｓ３、…ＳＮ）は、前記空気の流れ（Ｗ）の方向において、すなわち前記長孔（１６）から前記送風機の前記前部へと向かう方向において、曲率半径が順次大きくなるとともに偏角が順次小さくなることを特徴とする、請求項１に記載の送風機。
【請求項３】
前記外形（４０）は、前記送風機の正中面（Ｍ）に対して対称な形状を有し、前記送風機の前記前部と前記長孔（１６）が形成される後部とを結合することを特徴とする請求項１または２に記載の送風機。
【請求項４】
前記凸状円弧部分（Ｓ１、Ｓ２、Ｓ３、…ＳＮ）は、それぞれ対になって互いに接していることを特徴とする、請求項１〜３のいずれか一項に記載の送風機。
【請求項５】
前記外形（４０）は、少なくとも３つの凸状円弧部分（Ｓ１、Ｓ２、Ｓ３）で近似され、第１の凸状円弧部分（Ｓ１）は、１１０°から１５０°までの間の第１の角度（α１）に対応する偏角について延在し、５ｍｍから１０ｍｍまでの間の、特に６ｍｍから８ｍｍまでの間、例えば６．８ｍｍから７．２ｍｍまでの間の、第１の曲率半径（Ｒ１）を有し、第２の凸状円弧部分（Ｓ２）は、５０°から７０°までの間の第２の角度（α２）に対応する偏角について延在し、２５ｍｍから４５ｍｍまでの間の、特に３０ｍｍから４０ｍｍまでの間、例えば３２ｍｍから３７ｍｍまでの間の、第２の曲率半径（Ｒ２）を有し、第３の凸状円弧部分（Ｓ３）は、２５°から３５°までの間の第３の角度（α３）に対応する偏角について延在し、８０ｍｍから１３０ｍｍまでの間の、特に９０ｍｍから１２０ｍｍまでの間、例えば１００ｍｍから１１０ｍｍまでの間の、第３の曲率半径（Ｒ３）を有することを特徴とする、請求項１〜４のいずれか一項に記載の送風機。
【請求項６】
前記案内要素（２０）は、前記長孔（１６）に対応して前記外面（２２）の一部に重なり合うことができる曲線状の外形を有することを特徴とする、請求項１〜５のいずれか一項に記載の送風機。
【請求項７】
前記案内要素（２０）は、前記外面（２２）と協働して、前記区画室（１３）から流出する前記空気の流れ（Ｗ）の通路のための最小セクションを決定するように構成されることを特徴とする、請求項１〜６のいずれか一項に記載の送風機。
【請求項８】
前記通路（２１）は、約０．１ｍｍから５０ｍｍまでの間の幅を有することを特徴とする、請求項７に記載の送風機。
【請求項９】
前記本体（１２）の前記外面（２２）は、実質的に不連続な部分のない丸みを帯びた幾何学形状を有しており、それにより、前記送風機の後部から流出する前記空気の流れ（Ｗ）が、前記外面（２２）に引き寄せられながら前記前部に向かった後に、換気または空調すべき外部環境に向かって搬送されることを特徴とする、請求項１〜８のいずれか一項に記載の送風機。
【請求項１０】
前記外面（２２）は、少なくとも前記ポリラインの外形（４０）によって画定されたセクションに対応して、Ｒａ、ＲｚおよびＲｑに関する測定において０．００１μから１００μまでの間の表面粗さを有し得ることを特徴とする、請求項１〜９のいずれか一項に記載の送風機。
【請求項１１】
前記外形（４０）を有する各セクションについて、前記空気の流れ（Ｗ）は、長手方向展開を伴う均質な前部を有し、前記空気の流れ（Ｗ）は、前記送風機から約５０ｃｍから約３００ｃｍまでの間の距離で、小さな勾配と平均値からの小さな偏差とを有する、温度、速度および乱流の画定された均一な値を有し、それにより、ユーザにおける心地良い暖かさを生成することを特徴とする、請求項１〜１０のいずれか一項に記載の送風機。
【請求項１２】
前記案内要素（２０）は、前記長孔（１６）から流出する前記空気の流れ（Ｗ）を実質的に半分ずつに分けるように構成された分離要素（２４）を備えることを特徴とする、請求項１〜１１のいずれか一項に記載の送風機。
【請求項１３】
前記分離要素（２４）は、三角形または矢印形状の断面を有するとともに、前記長孔（１６）に面する頂点（２４ａ）と、前記案内要素（２０）に面する基部とを有し、前記三角形または矢印形状の断面は、前記分離要素（２４）の前記頂点（２４ａ）から前記出口通路（２１）に向かって前記空気が通過する部分を徐々に狭くすることを特徴とする、請求項７および１２に記載の送風機。
【請求項１４】
前記吸引流動ユニット（１４）は、少なくともその実質的部分について前記長孔（１６）の上方に位置することを特徴とする、請求項１〜１３のいずれか一項に記載の送風機。
【請求項１５】
前記吸引流動ユニット（１４）の上流であって前記空気の流れ（Ｗ）の入口孔（２７）に対応して配置された濾過要素（２６）を含むことを特徴とする、請求項１〜１４のいずれか一項に記載の送風機。
【発明の詳細な説明】
【技術分野】
【０００１】
本発明は、周辺環境の通風または空調のための空気の流れを生成するために、家庭または公共の閉鎖空間内において使用可能な送風機に関する。以下で使用される送風機という用語は、広義には、通風、空調、冷房、暖房、熱交換、除湿または空気清浄をすることができる任意の装置を意味する。
【背景技術】
【０００２】
従来の部屋用の送風機は、実質的に柱状体として構成され、通風または空調のための空気の流れを発生させる機械要素を収容する収容構造体と、空気の流れが放出される領域とを有し、外部環境に向けて流れを放出するための１つ以上の放出開口を備える。
【０００３】
典型的かつ一般的な従来の送風機では、放出開口は、大抵、送風機の構造部分の前部に見えるように配置されており、技術的な構成要素、例えば送風羽根および／または場合によって加熱手段の一部が見えてしまうことがある。
【０００４】
このような放出開口は好ましくない視覚効果を与えるので、不連続な部分のないすっきりした外形にすることが難しく、そのため、送風機の美的価値が低下してしまう。
さらに、技術的な構成要素が空間に直接面するので、これら構成要素に埃などの汚れが付きやすく、構成要素の機能が損なわれるおそれがある。
【０００５】
また、従来の携帯型送風機は、一部または全体が目に触れるような内部構成要素を有していないか、あるいは送風羽根を有していないものの、空気を流動させることができる空間は限定的である。
【０００６】
特に、空気が流れるのは空間内のごく限られた領域にすぎないので、送風機の有効性が非常に低い。
携帯型送風機の分野ではさらに、ユーザに快適感を与えることを意図する機器を製造する傾向が強まっている。
【０００７】
快適さの概念は一般的に、部屋の壁に取り付けまたは一体化される設置製品用に考慮されているが、携帯型の換気製品に適用することは困難である。
例えば送風機は、特定の電子制御装置によって供給される空気の流れの速度および温度を調節して、ユーザに不快感を引き起こさない範囲内にそれらを保つことを提供することが知られている。しかし、それらは送風機の最適なパフォーマンスまたはユーザの所望のレベルの快適さのいずれをも保証するものではない。
【０００８】
特許文献１では例えば、ユーザによって知覚される熱の快適さについての携帯機器による正しい換気の重要性が説明されている。記載の解決策では、柱状送風機および冷却タワーの特性の組み合わせを備える送風機の作成が提供されており、空気の流れがユーザに向かって送風機の内部から直接放出される。
【０００９】
特許文献２では、ハウジングおよび空気発生器を備える送風機が説明され、空気は、ハウジングの下部ゾーンに設けられた開口によって導入され、ハウジングの壁に対応して作られた放出開口を通って、ユーザに向けて直接放出される。
【００１０】
ユーザの快適感を得ることが意図される既知の送風機の他の解決策は、例えば特許文献３および特許文献４に記載されている。
これらの既知の解決策は、それらの幾何学形状および空気が出るスリットの配置に起因して、ユーザによって占有されるゾーンの空調を最適化して最適に健康的な暖かさを保証することができない。
【先行技術文献】
【特許文献】
【００１１】
【特許文献１】米国特許第６，９９７，６８０号明細書
【特許文献２】米国特許出願公開第２００４／０１２０８１５号明細書
【特許文献３】米国特許第６，９７３，２６０号明細書
【特許文献４】中国特許第１０４８０７０９３号明細書
【発明の概要】
【発明が解決しようとする課題】
【００１２】
本発明の１つの目的は、従来技術の既知の送風機と比較して改善された送風機を得ることである。
本発明の別の目的は、均一温度の空気の分散された流れを生成して、部屋にいる人々に最大の快適さを保証することができる送風機を得ることである。
【００１３】
別の目的は、最適な方法でユーザが位置するゾーンの空調を可能にする送風機を得ることである。
本発明の別の目的は、消費の最適化を可能にし、したがって省エネルギーを達成する送風機を得ることである。
【００１４】
出願人は、従来技術の課題を克服するために、ならびに、これらおよび他の目的および利点を得るために、本発明を考案、試験および具現化した。
【課題を解決するための手段】
【００１５】
本発明は、独立請求項において記載されかつ特徴付けられる一方、従属請求項は、本発明の他の特徴または主発明に係る思想の変形例を記述する。
上記目的に係る本発明は、空間に空気の流れを放出する送風機に関する。
【００１６】
送風機は、使用時に支持基台の上に配置される縦長の本体を備え、前記本体は、内部収容区画室を画定する。
本発明の一態様によれば、送風機は、外に向かって空気の流れを放出するための長孔を有し、また、空気吸引流動ユニットと、流出する流れが本体の外面に引き寄せられて送風機の前部に送られるように、長孔の近傍に配置されて、長孔と協働して長孔を通る空気の流れの出口を決定する案内要素と、を備える。
【００１７】
本発明の別の態様によれば、長孔から流出する空気の流れが通風または空調すべき環境に向けて送られるように、本体の外面は、実質的に不連続な部分のない、丸みを帯びた幾何学形状を有する。
【００１８】
本発明の一態様によれば、少なくとも長孔の影響を受ける本体の部分について、送風機が、翼形状の外形によって画定される外面の幾何学断面形状を有し、翼形状の外形は、それに接触しつつ通過する空気の流れに、ユーザに最適な快適感を保証するのに適した温度、速度および乱流の値を与えるのに適する。
【００１９】
具体的には、外形は、連続して並ぶように配置される複数の凸状円弧部分で近似することができるポリラインによって画定される。
いくつかの実施形態によれば、ポリラインを構成する凸状円弧部分は、空気の流れの方向において、すなわち長孔から送風機の前方に向かう方向において、漸増する曲率半径および漸減する偏角（ａｍｐｌｉｔｕｄｅ）を有する。
【００２０】
いくつかの実施形態によれば、特徴部分の外形は、送風機の正中面に対して対称形状を有し、前部と長孔がある後部とを結合する。
ポリラインによって画定された部分の形状により、長孔から出る空気の流れが、送風機の前部に向かって本体の外壁に引き寄せられ続けることが可能となる。
【００２１】
具体的には、ポリラインによって画定された部分の形状により、空気の流れ中の乱流の形成の制限が可能であり、乱流は、エネルギーの大きな散逸、ひいては送風機のパフォーマンスの低下を伴う可能性があるものである。実際、乱流がある場合、空気の流れが到達できる送風機からの距離は、乱流がない場合と比較して短い。
【００２２】
また、乱流の存在は、ユーザと周囲環境との間の熱交換を増加させる可能性があり、送風機を加熱用に使用する場合は特に、不快である可能性がある。
他の実施形態によれば、本体はまた、少なくともポリラインによって画定されたゾーンに対応して、起こり得るシワおよび凹凸を排除または少なくとも低減するのに適切な表面仕上げを有する。
【００２３】
別の態様によれば、流れが長孔に実質的に対応して分流し、本体の外面に引き寄せられながら別々に送風機の前部に向かった後、少なくとも部分的に再合流して、環境中に広がるように、案内要素は、長孔から流出する空気の流れを反対方向に向かう２つの流れに分流するのに適した手段を有するか、または、同手段と関連している。
【００２４】
本発明の上記特徴およびその他の特徴は、添付図面を参照しながら非限定的な例として開示される、いくつかの実施形態に係る以下の説明から明らかになるであろう。
【図面の簡単な説明】
【００２５】
【図１】本発明の一実施形態に係る送風機の正面図。
【図２】図１の送風機の、図３の断面ＩＩ−ＩＩに沿った断面図。
【図３】図２の送風機の断面図。
【図４】図２の送風機の変形例の断面図。
【発明を実施するための形態】
【００２６】
理解を容易にするために、可能な限り、図面において同一の共通要素を示すために同じ参照番号が使用されている。１つの実施形態に含まれる複数の構成要素および複数の特徴は、その組み合わせが個別に明示されていなくても、他の実施形態に適宜に組み合わせることができる。
【００２７】
図１〜図４を参照しながら以下に説明する実施形態は、特に、室温での通風、冷房、暖房、熱交換、除湿または空気清浄のために、閉鎖空間で使用可能な送風機１０に関する。
送風機１０は、使用中に支持基台１８の上に配置される縦長の本体１２を備える。
【００２８】
本体１２は、その内部に、複数の機能要素を収容するための区画室１３を画定する。
送風機１０は、長孔１６を有するとともに、空気の流れＷを取り込んで流動させるユニット１４を備える。
【００２９】
可能な解決策によれば、空気吸引流動ユニット１４は、少なくともその実質的部分が、長孔１６の上方に位置する。
長孔１６は、空調が行われる空間の反対側に配置される。具体的には、長孔１６は、送風機１０の後部に位置し、長孔１６から流出する空気の流れＷは、図３および図４中に矢印Ｆで示すように、送風機１０の前部に位置する前部領域に到達するように偏向される。
【００３０】
一般に、「後部」および「前部領域」という表現は、これらの２つの部分間の機能的関係を定義するにすぎず、本体１２及びユーザに対して互いに実質的に反対に配置される必要があることを意味する。
【００３１】
別の実施形態によれば、空気吸引流動ユニット１４はロータ１５とロータ１５に連結された駆動部材１７とを備えていてもよく、ロータ１５には、外部およびその入口から本体１２内へ空気を吸引させるように適切に配向された複数の羽根が設けられる。
【００３２】
いくつかの実施形態によれば、吸引流動ユニット１４は、ロータ１５の回転軸線が長孔１６の延伸軸線に実質的に平行であるように配向させることができる。
可能な実施形態によれば、空気は、貫通入口孔２７を介して本体１２の内部に入る。
【００３３】
いくつかの実施形態によれば、貫通入口孔２７は、本体１２の頂部および上部側壁、あるいは頂部または上部側壁において、少なくとも部分的に長孔１６の上方に形成することができる。
【００３４】
貫通入口孔２７ならびに吸引流動ユニット１４が本体１２の上部に配置されていることにより、有利なことに、埃または他の汚れが堆積する可能性がある床に対応したものと比較して、よりきれいな空気を取り込んで再循環させることが可能となる。
【００３５】
区画室１３により、入口孔２７から長孔１６に向かう送風機１０内での空気の流れＷの流通が可能となる。
また、送風機１０は、長孔１６の近くに配置されて、長孔１６と協働して空気の流れＷを外側に向かわせる案内要素２０を備える。
【００３６】
案内要素２０は、長孔１６から流出する空気の流れＷを本体１２の外面２２に引き寄せるように構成される。換言すれば、案内要素２０は、長孔１６から流出する空気の流れＷを偏向させることができる。
【００３７】
案内要素２０は、作用面２０ａを備える。使用時に、長孔１６から流出する空気の流れＷは作用面２０ａに衝突する。作用面２０ａは、凸形に湾曲していてもよい。
案内要素２０は、長孔１６から流出して送風機１０の前部領域に向かう空気の流れＷを外面２２の外形に沿わせる。
【００３８】
さらに、案内要素２０は、外面２２と協働して、区画室１３から流出する空気の流れＷの通路の最も狭くなる部位を決定するように構成される。
本発明の１つの方式では、送風機１０の後部から流出した空気の流れが前部に引き寄せられた後に、通風または空調すべき空間に向けて送られるように、外面２２は、実質的に不連続な部分がない、丸みを帯びた幾何学形状を有する。
【００３９】
本発明の一態様によれば、丸みを帯びた幾何学形状は、流れに著しい変化を生じさせることなく、また、流れを妨げる可能性のある障害、乱流、不連続または任意の他の要因を生じさせることなく、外面２２に空気の流れＷを引き寄せて流動させるのに適した形状にすることができる。
【００４０】
一実施形態によれば、図１に例として示すように、本体１２は、その縦に延びる部分の少なくとも一部にテーパ形状を有することができる。
特に、有利な方式によれば、本体１２は、高さ方向において実質的に長孔１６に対応する部位が細くなっている。
【００４１】
例として、本体１２の断面の内側の直径を１００ｍｍから２３０ｍｍの範囲とすることができ、本体１２の高さを７５０ｍｍから８５０ｍｍの範囲とすることができる。
本体１２は、前部に連続的な面を有するように構成することができる一方、長孔１６に対応して、長孔１６自体を画定するように、内側に向かって折り曲げられた外形を有する。
【００４２】
この構成によれば、長孔１６に対応する本体１２の特定の丸みを帯びた形状により、送風機１０の前部に向けて延びる表面膜を形成するかのように、空気の流れＷを外面２２に引き寄せつつ流動させることが可能になる。
【００４３】
本発明の一態様によれば、長孔１６の影響を受けるゾーンに対応して、本体１２は、ポリラインによって画定される外形４０を有する幾何学断面形状を有しており、これは、連続して並ぶように配置された複数の凸状円弧部分Ｓ１、Ｓ２、Ｓ３、…ＳＮで近似できる。
【００４４】
具体的には、ポリラインの外形４０は、ユーザに高いレベルの快適さを保証するべく、送風機１０の前部に空気の流れを生成するように構成されている。
いくつかの実施形態によれば、特徴的な部位の外形４０は、長孔１６がある前部と後部とを結ぶ送風機１０の正中面Ｍに対して対称な形状を有している。
【００４５】
外形４０は、本体１２の１つの領域、具体的には長孔１６が形成された領域のみに影響を与え得ることに留意すべきである。
いくつかの実施形態では、長孔１６および外形４０は、本体１２の長手方向（垂直方向）に延びる全体またはその一部分のみに影響を与え得る。
【００４６】
いくつかの実施形態によれば、長孔１６から送風機１０の前部へ向かう空気の流れ方向において、連続して並ぶ複数の凸状円弧部分は、偏角が順次小さくなるとともに、曲率半径が順次大きくなる。
【００４７】
いくつかの実施形態によれば、複数の凸状円弧部分Ｓ１、Ｓ２、Ｓ３、…ＳＮは、互いに接している。
いくつかの実施形態によれば、例えば図３を参照して示すように、外形４０は、少なくとも３つの凸状円弧部分Ｓ１、Ｓ２、Ｓ３によって近似することができる。
【００４８】
以下では、例として３つの円弧部分について説明するが、複数の凸状円弧部分が、空気の流れの方向において各々の偏角が順次小さくなるとともに各々の曲率半径が順次大きくなるという関係があれば、凸状円弧部分の数Ｎは、任意の数、例えば５、７、１０、２０、１００以上にすることができる。
【００４９】
いくつかの実施形態によれば、第１の凸状円弧部分Ｓ１は、例えば１１０°から１５０°の間である第１の角度α１に対応する偏角で延設することができ、５ｍｍから１０ｍｍの間からなる第１の曲率半径Ｒ１にすることができる。特に、第１の曲率半径Ｒ１は、６ｍｍから８ｍｍにすることができる。例えば、第１の曲率半径Ｒ１は、６．８ｍｍから７．２ｍｍにすることができる。
【００５０】
他の実施形態によれば、第１の凸状円弧部分Ｓ１は、１２０°から１４０°の間である第１の角度α１に対応する偏角で延設することができ、曲率半径Ｒ１は例えば６．９ｍｍから７．１ｍｍにすることができる。
【００５１】
他の実施形態によれば、第２の凸状円弧部分Ｓ２は、例えば５０°から７０°の間である第２の角度α２に対応する偏角で延設することができ、２５ｍｍから４５ｍｍの間である第２の曲率半径Ｒ２にすることができる。特に、第２の曲率半径Ｒ２は、３０ｍｍから４０ｍｍにすることができる。
【００５２】
他の実施形態によれば、第２の凸状円弧部分Ｓ２を、５５°から６５°の間からなる第２の角度α２に対応する偏角で延設することができ、例えば３２ｍｍから３７ｍｍの間である第２の曲率半径Ｒ２にすることができる。
【００５３】
いくつかの実施形態によれば、第３の凸状円弧部分Ｓ３は、例えば２０°から４０°の間である第３の角度α３に対応する偏角で延設することができ、８０ｍｍから１３０ｍｍの間である第３の曲率半径Ｒ３にすることができる。特に、第３の曲率半径Ｒ３は、９０ｍｍから１２０ｍｍにすることができる。
【００５４】
他の実施形態によれば、第３の凸状円弧部分Ｓ３は、２５°から３５°の間である第３の角度α３に対応する偏角で延設することができ、例えば１００ｍｍから１１０ｍｍの間である第３の曲率半径Ｒ３にすることができ、より具体的には、例えば１０４ｍｍから１０６ｍｍにすることができる。
【００５５】
いくつかの実施形態によれば、外形４０が不連続な部分なく延びるように、第２の凸状円弧部分Ｓ２は、一端側が第１の凸状円弧部分Ｓ１に接するとともに、他端側が第３の凸状円弧部分Ｓ３と接している。
【００５６】
他の実施形態によれば、凸状円弧部分Ｓ１、Ｓ２、Ｓ３の各々は、それ自体を複数の円弧状の分割部分から構成してもよく、これら複数の円弧状の分割部分は、全体としてそれぞれの円弧部分Ｓ１、Ｓ２、Ｓ３を近似する。各円弧状の分割部分は、隣の分割部分に対して（空気の流れＷの方向において）、偏角が順次小さくなるとともに、曲率半径が順次大きくなる。
【００５７】
例えば、図示しない可能な実施形態によれば、第１の凸状円弧部分Ｓ１の代わりに、２つの円弧状分割部分が互いに隣接して配置され、それぞれが例えば６７°および６３°の角度を有する偏角で延び、それぞれの曲率半径が例えば６．８ｍｍから７ｍｍまで、および７ｍｍから７．２ｍｍまでの範囲で異なっていてもよい。
【００５８】
他の実施形態によれば、第１の凸状円弧部分Ｓ１の湾曲は、案内要素２０と協働して、空気の流れが流出するための出口通路２１を画定する。
他の実施形態によれば、案内要素２０は、正中面Ｍの両側に出口通路２１を画定するために第１の円弧部分と協働するのに適切な曲率半径の半円形状を有することができる。
【００５９】
いくつかの実施形態によれば、案内要素２０は、長孔１６に対応して外面２２の一部の上方に位置する曲線状の外形を有してもよい。
一実施形態では、案内要素２０は、長孔１６の延長に少なくとも等しい、縦長の形状を有する。
【００６０】
図２に示す別の実施形態では、案内要素２０は、本体１２の縦長さと等しい、縦長の形状を有する。
別の実施形態では、図４に例として示すように、案内要素２０には、長孔１６から流出する空気の流れＷを実質的に半分ずつに二分するように構成された分離要素２４を設けてもよい。
【００６１】
いくつかの実施形態によれば、分離要素２４は、長孔１６に面する頂部２４ａと、案内要素２０に面する基部とを有する、三角形または矢印形状の断面を備えることができる。
他の実施形態によれば、分離要素２４は、内側に向かって半円形状に湾曲する２つの凹状側部を有してもよい。
【００６２】
いくつかの実施形態では、頂部２４ａは丸まっていてもいいし、傾斜していてもよい。
空気が流れる部位は長孔１６の部分で最も広くなるが、分離要素２４を設けることによってこの空気が流れる部位を次第に狭くすることができる。すなわち、空気が流れる部位は、分離要素２４の頂部２４ａにおいて最も広く、出口通路２１の端部に対応する部位、つまり案内要素２０の最も外側の端において最も狭くなる。
【００６３】
分離要素２４の頂部２４ａと通路２１との間の部位において空気が流れる部位を狭くすることにより、外側かつ送風機１０の前部に向かう空気の流れＷの流速を増すことができる。
【００６４】
このように、反対方向に向かう２つの空気の流れＷを作ると、流れの各々は、対応する通路２１から流出して、本体１２の対応する外面２２に引き寄せられつつ流れ、送風機１０の正面で再び実質的に合流する。
【００６５】
いくつかの実施形態によれば、通路２１は、空気の流れＷを通過させるための部位で狭くなるよう適合されている。
いくつかの実施形態によれば、各通路２１は、約０．１ｍｍから５０ｍｍの幅を有している。
【００６６】
いくつかの実施形態によれば、通路２１は、約１ｍｍから約２０ｍｍの幅を有している。
他の実施形態によれば、通路２１は、約３ｍｍから約１０ｍｍの幅を有している。
【００６７】
通路２１の幅をこのように設計することにより、所望の距離で、ユーザに最適な快適さを提供するのに適した速度で、ユーザに向けて空気の流れを送ることが可能となる。
具体的には、出口における空気の流れの速度は、送風機１０の機能の有効性とユーザの快適さの両方を最適化するものである。
【００６８】
具体的には、長孔１６に対応して翼形状の外形４０が形成されていることにより、空気の流れＷが、断面が円形であり本体１２の全高に関して一定であるとした場合よりも大きい部分について、外面２２に引き寄せられた状態で保持される。これにより、ユーザに当たる空気の流れＷがより強くなり、より少ない乱流となる。
【００６９】
例えば、いくつかの実施形態によれば、本発明に係る送風機１０を用いて得られた空気の流れＷは、送風機１０から約５０ｃｍから約３００ｃｍの間の距離で、長手方向にほぼ均一に展開する前部を有し、それにより、ユーザにおける心地良い暖かさを最適化する。より具体的には、距離は１５０ｃｍから３００ｃｍの間からなることができる。
【００７０】
他の実施形態によれば、本体１２の外面２２には、少なくともポリラインの外形４０によって画定された部分に対応して、空気の流れの乱れを防ぐために、シワおよび凹凸をなくすか、少なくとも低減するのに適切な表面仕上げを行い、それによってユーザに対して高いレベルの快適さを保証する。
【００７１】
いくつかの実施形態によれば、外面２２は、Ｒａ、ＲｚおよびＲｑを測った場合に、表面粗さが０．００１μから１００μになるようにすることができる。
他の実施形態によれば、外面２２は、０．０１μから５０μまでの間の表面粗さを有することができる。
【００７２】
上記のような外形４０の幾何学形状、通路２１の幅および表面粗さの組み合わせが、ユーザの最適な快適さを決定し、これは、身体の局所部分に熱いまたは冷たい点を生じさせることなくユーザを囲むことができる水平面上の均質な流れを保証するように、空気の流れの速度、温度および乱流が生成されるからである。
【００７３】
例えば、着座および立位者についての３つの特徴的な高さを考慮し、加熱について２１℃以下および冷却について２４℃以上の室温Ｔを考慮すると、上記の幾何学パラメータにより、以下の速度、温度および乱流特性を有する空気の流れを得ることができる。
【００７４】
例えば、加熱の場合には、ユーザのかかとに対応する高さでの速度を非ゼロ値、例えば約０．６ｍ／ｓ未満とすることができる一方、送風機１０から約５０ｃｍの距離での空気の流れの最大速度を２ｍ／ｓ未満とすることができ、それにより、局所的な冷却効果を防止する。
【００７５】
冷却の場合には、ユーザのかかとに対応する高さでの速度を０．１ｍ／ｓ超とすることができ、いずれの場合にもすべての長手方向セクションについて０．０５ｍ／ｓ以上とすることができる。
【００７６】
いくつかの実施形態によれば、加熱モードにおける空気の流れの温度を、外形４０の形状によって特徴付けられるすべてのセクションについて室温より高くすることができる一方、冷却モードでは温度を室温と同じにすることができる。
【００７７】
最後に、乱流に関しては、既知の装置と比べてこれを排除または少なくとも大幅に減少させることができる。例えば、本発明に係る外形４０によれば、空気の流れＷの乱流は、常に５０％未満であり、特に、空気の流れが最大速度を有するセクションで、乱流が２０％未満となるであろう。
【００７８】
このように、外形４０によって特徴付けられる各セクションについて、小さな垂直勾配によって特徴付けられる長手方向展開により空気の流れの均質な前部を作成することができ、ユーザにおける心地良い暖かさを生成することができる。
【００７９】
いくつかの実施形態によれば、例えば、加熱および冷却の場合の最大速度勾配はそれぞれ、１ｍ／ｓ未満とし、または１ｍ／ｓから３ｍ／ｓの間にすることができる。
他の実施形態によれば、最大温度勾配を、加熱の場合に水平軸上で３℃未満、垂直軸上で３℃未満とすることができる。
【００８０】
他の実施形態によれば、乱流の最大勾配を、加熱および冷却の場合にそれぞれ３０％未満および４０％未満に保つことができる。
いくつかの実施形態によれば、本発明に係る送風機１０は、ユーザがいるゾーンを最良の方法で空調することができる。具体的には、外形４０により、部屋全体を空調する必要なく、ユーザの熱知覚を改善する傾向がある均質な空気の流れを供給することができ、したがって、大きなエネルギー節約を得ることができる。
【００８１】
実際に、ユーザ周囲の心地良い暖かさのゾーンを作成するのに必要なエネルギー消費量は、部屋全体を空調することにより同じ心地良い暖かさを保証するのに必要とされるであろうエネルギー消費量よりも少ない。
【００８２】
一実施形態によれば、図２に例として示すように、送風機１０はさらに濾過要素２６を備えてもよい。濾過要素２６は、吸引された空気から埃または特定のアレルゲンを適切に取り除いて空気を浄化するために、空気吸引流動ユニット１４の上流の入口孔２７に対応する位置に設置される。
【００８３】
別の実施形態によれば、図２に例として示すように、送風機１０は、本体１２の内部であって、実質的に長孔１６に対応する位置に設置された空調装置２８を備えてもよい。
空調装置２８は、送風機１０が空気を放出する空間に対して一定の影響を与えるべく、空気の流れＷの状態を変更することができる任意の装置とすることができる。
【００８４】
例えば、空調装置２８は、空気の流れＷを加熱したり、冷却したり、または除湿したりするものであってもよいし、送風機１０が複数の機能を備えるように設計される場合には、必要に応じてこれらの機能を組み合わせてもよい。
【００８５】
ここで説明する実施形態によれば、送風機１０は、長孔１６を通じて空気の流れを案内要素２０に向かって流動させるために、複数の偏向器要素３５を有する偏向器装置３４を備える。
【００８６】
別の実施形態によれば、図２および図３に例として示すように、送風機１０は、偏向器装置３４と協働する調節装置３６を備えることができる。調節装置３６は、空気の流れＷの方向を変調するために、偏向器要素３５を任意の向きに設定する。
【００８７】
一実施形態では、調節装置３６は、支持基台１８に実質的に平行な位置から支持基台１８に実質的に垂直な位置へと、偏向器要素３５を回転させることができる。
また、別の実施形態によれば、図２に例として示すように、送風機１０は、本体１２を回転させるための装置３０を備え、それにより、ユーザの位置に応じた空気の噴流の向きを実現することが可能である。
【００８８】
本発明の分野および範囲から逸脱することなく、これまで説明した送風機１０に対して部分的な変更および追加、あるいは変更または追加がなされ得ることは明らかである。
いくつかの特定の実施例を参照して本発明を説明してきたが、当業者が、特許請求の範囲に記載の特徴を有する、したがって、それによって定義される保護分野内にすべて入る、送風機の多くの他の均等な形態を確実に達成することができるはずであることも明らかである。
【図１】
2019519710.tif 000003
【図２】
2019519710.tif 000004
【図３】
2019519710.tif 000005
【図４】
2019519710.tif 000006
【国際調査報告】
2019519710.tif 000007
2019519710.tif 000008
2019519710.tif 000009